(57)【要約】      （修正有）【課題】流体物質の充填量が低減でき、ライニングパッドが軽量化でき、流体物質の流動が安定し、乳房を安定して上げることができ、人体で発生する熱を順調に排出できるライニングパッドを提供する。【解決手段】靭性を持ち水が透過できない二枚の樹脂シートで乳房形状の袋体に接合して成形し、袋体の内部に流体物質が充填してあり、袋体１１の内部には柔軟で弾性を持ち周縁でバンド体と接合するスポンジが入れてあり、袋体４二枚の樹脂シートを袋面に接合させ、少なくとも１つの窪み部を形成し、窪み部の底部にある窪み面には貫通孔が開けてあるライニングパッドである。【選択図】図３
0003106767.tif 000002
【実用新案登録請求の範囲】
【請求項１】
靭性を持ち水が透過しない二枚の樹脂シートで乳房形状の袋体に接合して成形し、前記袋体の内部に流体物質が充填してあるライニングパッドにおいて、
前記袋体の内部には、柔軟で弾性を持つスポンジが入れられていることを特徴とするライニングパッド。
【請求項２】
前記スポンジは、周縁でバンド体と接合することを特徴とする請求項１に記載のライニングパッド。
【請求項３】
前記袋体の二枚の樹脂シートを袋面に接合させ、少なくとも１つの窪み部を形成し、前記窪み部の底部にある窪み面には貫通孔が開けてあることを特徴とする請求項１に記載のライニングパッド。
【考案の詳細な説明】
【技術分野】
【０００１】
本考案はブラジャーに適用されるライニングパッドに係り、特に乳房の定位を強化し、且つ乳房を集中し上げる効果を持つライニングパッドに関するものである。
【背景技術】
【０００２】
近年、国民の生活水準が大幅に向上し、女性が自身の外見に対する要求もますます向上しているので、様々なブラジャー用ライニングパッドが次々と開発されている。従来のライニングパッドは、図１および図２に示すように、靭性を持ち水が透過できない樹脂シート１の周縁を溶接により乳房形状の袋体４に形成し、そして水や油や気体などの流体物質２を前記袋体４に充填する。
【０００３】
気体が充填されたライニングパッドは、重量が軽くて製造コストが低いなどのメリットを有するが、製造の不良率が高く、ライニングパッドの気体漏れが発生し易く、製品の柔軟性が不足しており、接触したときの心地が良くないなどの欠点があった。
【０００４】
水や油などの流体物質２が充填されたライニングパッドは製造コストが低いが、乳房を上げるために袋体４の内部には多量の流体物質２を充填することが必要になるので、重量が重く、運動中に流体物質が激しく流動するため乳房を安定して上げることができなかった。
また、従来のライニングパッドは乳房の大半をカバーするので、人体で発生する熱が順調に排出できず不快感があった。
【考案の開示】
【考案が解決しようとする課題】
【０００５】
よって本考案の主な目的は、流体物質の充填量が低減でき、ライニングパッドが軽量化でき、流体物質の流動が安定し、乳房を安定して上げることができるライニングパッドを提供する。
【０００６】
本考案の次の目的は、ライニングパッドの重量が低減できると共に、人体で発生する熱を順調に排出できるライニングパッドを提供する。
【課題を解決するための手段】
【０００７】
上記目的を達成するためになされた本考案の請求項１は、靭性を持ち水が透過できない二枚の樹脂シートで乳房形状の袋体に接合して成形し前記袋体の内部に流体物質が充填してあるライニングパッドにおいて、前記袋体の内部には柔軟で弾性を持つスポンジが入れてあることを特徴とするライニングパッドであることを要旨としている。
また本考案の請求項２では、前記スポンジは周縁でバンド体と接合することを特徴とする請求項１に記載のライニングパッドであることを要旨としている。
また本考案の請求項３では、前記袋体の二枚の樹脂シートを袋面に接合させ、少なくとも１つの窪み部を形成し、前記窪み部の底部にある窪み面には貫通孔が開けてあることを特徴とする請求項１に記載のライニングパッドであることを要旨としている。
【考案の効果】
【０００８】
本考案に係るライニングパッドによれば、次のような効果がある。
（イ）流体物質が充填されたライニングパッドの袋体内にスポンジを設置し、それにより流体物質の充填量が低減でき、ライニングパッドが軽量化でき、且つ流体物質がスポンジに吸収されるので、流体物質の流動が安定し、乳房を安定して上げることができる。
（ロ）ライニングパッドの袋体の二枚の樹脂シートを袋面に接合させ、少なくとも１つの窪み部を形成し、前記窪み部の底部にある窪み面には貫通孔が開けてあるので、ライニングパッドの重量が低減できると共に、前記貫通孔により人体で発生する熱が順調に排出できるようになる。
【考案を実施するための最良の形態】
【０００９】
以下、添付図面を参照して本考案の好適な実施例を詳細に説明する。
まず、図３および図４を参照する。ライニングパッド１０は、袋体１１と、流体物質１２と、スポンジ構造１３とから構成される。前記ライニングパッド１０は、靭性を持ち水が透過できない二枚の樹脂シート１４の周縁に沿って溶接により接合し、乳房形状の袋体１１に形成し、且つ前記袋体１１の一端に開口を残し、前記開口を経由して、水や油などの流体物質１２を適量に充填して柔軟で弾性を持つスポンジ構造１３を前記袋体１１に入れた後、溶接により前記開口を閉鎖する。
上記スポンジ構造１３は、樹脂を発泡して構成されるスポンジの他、棉類や不織布類などの材料を使用しても同様な効果を有する。
【００１０】
次に、図５および図６を参照する。スポンジ構造１３と流体物質１２とが同時に袋体１１内に設置される場合に、流体物質１２が乳房の重量や外力を受けて不安定になるとスポンジ構造１３が流体物質１２の流動力を吸収し緩和するので、ブラジャー１５に適用されるライニングパッド１０は形状が安定し、軽量化し、接触感が柔軟になり、乳房を安定して上げることができる。
【００１１】
次に、図４および図８を参照する。袋体１１におけるスポンジ１３の定位を強化するためにスポンジ１３を二枚の樹脂シート１４の間に設置し、溶接によりスポンジ１３の周縁を二枚の前記樹脂シート１４と接合することにより、スポンジ１３が袋体１１内に安定して定位できる。それにより、ブラジャーを洗濯しても袋体１１におけるスポンジ１３が変位する恐れがなくなる。
【００１２】
また、図７乃至図１２を参照する。ライニングパッド１０の袋体１１の二枚の樹脂シート１４を袋面にも接合させ、少なくとも１つの窪み部１６を形成し、前記窪み部１６の底部にある窪み面１７には貫通孔１８が開けてあるので、ライニングパッド１０の重量が低減できると共に、前記貫通孔１８により人体で発生する熱が順調に排出できるようになる。
【００１３】
このように、本考案を特定の例を参照して説明したが、それらの例は説明のためだけのものであり、本考案を限定するものではなく、この分野の通常の知識を有する者には本考案の精神および範囲を逸脱することなく、ここで開示された実施例に変更、追加、または、削除を施してもよいことがわかる。
【図面の簡単な説明】
【００１４】
【図１】従来のライニングパッドの構造を示す断面図である。
【図２】従来のライニングパッドの構造を示す断面図である。
【図３】本考案の第一実施例によるライニングパッドを示す外観斜視図である。
【図４】本考案の第一実施例によるライニングパッドを示す分解斜視図である。
【図５】本考案の第一実施例によるライニングパッドの構造におけるスポンジと流体物質との流動状態を示す断面図である。
【図６】本考案の第一実施例によるライニングパッドをブラジャーに適用した状態を示す外観斜視図である。
【図７】本考案の第二実施例によるライニングパッドを示す外観斜視図である。
【図８】本考案の第二実施例によるライニングパッドを示す断面図である。
【図９】本考案の第三実施例によるライニングパッドを示す外観斜視図である。
【図１０】本考案の第三実施例によるライニングパッドを示す断面図である。
【図１１】本考案の第四実施例によるライニングパッドを示す外観斜視図である。
【図１２】本考案の第四実施例によるライニングパッドを示す外観斜視図である。
【符号の説明】
【００１５】
１  樹脂シート、２  液体物質、３  周縁、４  袋体、１０  ライニングパッド、１１  袋体、１２  液体物質、１３  スポンジ構造、１４  樹脂シート、１５  ブラジャー、１６  窪み部、１７  窪み面、１８  貫通孔
【図１】
0003106767.tif 000003
【図２】
0003106767.tif 000004
【図３】
0003106767.tif 000005
【図４】
0003106767.tif 000006
【図５】
0003106767.tif 000007
【図６】
0003106767.tif 000008
【図７】
0003106767.tif 000009
【図８】
0003106767.tif 000010
【図９】
0003106767.tif 000011
【図１０】
0003106767.tif 000012
【図１１】
0003106767.tif 000013
【図１２】
0003106767.tif 000014